(57)【要約】【課題】建物の外壁の不陸により発生する支持具の前後方向のずれを吸収できる支持具付き竪樋、竪樋支持具を提供する。【解決手段】支持具付き竪樋は、竪樋本体３と、外壁４の方に向けて突出する突出部１と、突出部１に抜け止めされた状態で遊嵌される支持具２と、を備える。突出部１には、後端部から突出する抜け止め片１２が設けられる。支持具２は、突出部１が挿通可能で且つ抜け止め片１２が設けられた部分が挿通不能となるように前後方向に貫通する挿通孔２２ａを有する前片２２を備える。支持具２は、前片２２の外壁４に平行となる方向に対向する両端部から後方に連設される連設片２２ｃを備える。支持具２は、連設片２２ｃの後端部から前片２２から離れる方向に連設されて外壁４に固定される固定片２１を備える。連設片２２ｃの前後方向の長さが抜け止め片１２の前後方向の長さよりも長く形成される【選択図】図１
2015001073.tif 000002
【特許請求の範囲】
【請求項１】
竪樋本体と、
前記竪樋本体の建物の外壁を向く背面から、その後方となる前記外壁の方に向けて突出する突出部と、
前記突出部に抜け止めされた状態で遊嵌される支持具と、
を備えてなる支持具付き竪樋であって、
前記突出部には、その後端部から前記外壁に平行となる第一の方向の両側に向けてそれぞれ突出する抜け止め片が設けられ、
前記支持具は、前記突出部が挿通可能で且つ前記抜け止め片が設けられた部分が挿通不能となるように前後方向に貫通する挿通孔を有する前片と、前記前片の前記外壁に平行となる第二の方向に対向する両端部から後方にそれぞれ連設される連設片と、前記連設片の後端部から前記第二の方向において前記前片から離れる方向にそれぞれ連設されて前記外壁に固定される固定片と、を備え、
前記連設片の前後方向の長さが前記抜け止め片の前後方向の長さよりも長く形成されることを特徴とする支持具付き竪樋。
【請求項２】
前記支持具は、前記突出部が挿通可能で且つ前記抜け止め片が設けられた部分が挿通不能となるように前後方向に貫通する前記挿通孔を有する前記前片と、前記前片の前記外壁に沿って左右方向の両端部から後方にそれぞれ連設される前記連設片と、前記連設片の後端部から前記左右方向において前記前片から離れる方向にそれぞれ連設されて前記外壁に固定される前記固定片と、を備え、
左側の前記固定片の左側端部と右側の前記固定片の右側端部との間の長さが、前記竪樋本体の直径よりも短く形成されることを特徴とする請求項１記載の支持具付き竪樋。
【請求項３】
請求項１または請求項２記載の支持具付き竪樋が用いられて、前記固定片が前記外壁に固定されてなる竪樋支持構造であって、
前記抜け止め片又は前記突出部と前記外壁との間に、前記抜け止め片を前記前片に当接させる付勢部材が設けられることを特徴とする竪樋支持構造。
【請求項４】
請求項１または請求項２記載の支持具付き竪樋が用いられて、前記固定片が前記外壁に固定されてなる竪樋支持構造であって、
前記前片が後方に折り曲げられて、前記前片の先端が前記抜け止め片に当接していることを特徴とする竪樋支持構造。
【発明の詳細な説明】
【技術分野】
【０００１】
本発明は、支持具付き竪樋、竪樋支持構造に関するものである。
【背景技術】
【０００２】
従来から、竪樋本体に被支持部を備え、被支持部と係合する支持部を有し建物の外壁に固定される支持具を備えた支持具付き竪樋、竪樋支持構造が知られている。（例えば特許文献１参照）。
【先行技術文献】
【特許文献】
【０００３】
【特許文献１】特開平２０００−３４８１１号公報
【発明の概要】
【発明が解決しようとする課題】
【０００４】
ところで、支持具は、上下方向に一列になり竪樋本体の被支持部と対向するように建物の外壁に固定される。しかし、建物の外壁に凹凸があり不陸となっていると、支持具を建物の外壁に固定する際、支持具が前後方向にずれてしまう場合があった。特許文献１に記載されている発明では、前後方向のずれが生じたまま支持具を取付けると、竪樋本体が湾曲してしまう。また、竪樋本体が湾曲すると、湾曲を元に戻そうとする力が竪樋本体に発生し、支持具が損傷してしまう虞があった。
【０００５】
本発明は上記従来の問題点に鑑みて発明したものであって、その目的とするところは、外壁の不陸による、支持具を外壁に固定した際に生じる前後方向のずれを吸収できる支持具付き竪樋、竪樋支持構造を提供することを課題とするものである。
【課題を解決するための手段】
【０００６】
上記課題を解決するために、本発明は、以下のような構成とする。
【０００７】
竪樋本体と、前記竪樋本体の建物の外壁を向く背面から、その後方となる前記外壁の方に向けて突出する突出部と、前記突出部に抜け止めされた状態で遊嵌される支持具と、を備えてなる支持具付き竪樋であって、前記突出部には、その後端部から前記外壁に平行となる第一の方向の両側に向けてそれぞれ突出する抜け止め片が設けられ、前記支持具は、前記突出部が挿通可能で且つ前記抜け止め片が設けられた部分が挿通不能となるように前後方向に貫通する挿通孔を有する前片と、前記前片の前記外壁に平行となる第二の方向に対向する両端部から後方にそれぞれ連設される連設片と、前記連設片の後端部から前記第二の方向において前記前片から離れる方向にそれぞれ連設されて前記外壁に固定される固定片と、を備え、前記連設片の前後方向の長さが前記抜け止め片の前後方向の長さよりも長く形成されることを特徴とする。
【０００８】
また、前記支持具は、前記突出部が挿通可能で且つ前記抜け止め片が設けられた部分が挿通不能となるように前後方向に貫通する前記挿通孔を有する前記前片と、前記前片の前記外壁に沿って左右方向の両端部から後方にそれぞれ連設される前記連設片と、前記連設片の後端部から前記左右方向において前記前片から離れる方向にそれぞれ連設されて前記外壁に固定される前記固定片と、を備え、左側の前記固定片の左側端部と右側の前記固定片の右側端部との間の長さが、前記竪樋本体の直径よりも短く形成されることが好ましい。
【０００９】
また、前記固定片が前記外壁に固定されてなる竪樋支持構造であって、前記抜け止め片又は前記突出部と前記外壁との間に、前記抜け止め片を前記前片に当接させる付勢部材が設けられることが好ましい。
【００１０】
また、前記固定片が前記外壁に固定されてなる竪樋支持構造であって、前記前片が後方に折り曲げられて、前記前片の先端が前記抜け止め片に当接していることが好ましい。
【発明の効果】
【００１１】
本発明の支持具付き竪樋は、竪樋本体から突出する突出部と、突出部に抜け止めされた状態で遊嵌される支持具と、を備える。支持具の連設片の前後方向の長さが突出部の抜け止め片の前後方向の長さよりも長く形成されるため、突出部と支持部との間には隙間が生じる。この隙間により、突出部は支持具が建物の外壁に固定された後でも前後方向に移動可能となる。従って、建物の外壁の不陸により生じる支持具の前後方向のずれを、隙間により突出部が前後方向に移動して吸収し、竪樋本体を上下方向に一直線にすることができる。
【図面の簡単な説明】
【００１２】
【図１】（ａ）は本発明の第一の実施形態の嵌め込み部材と結合部の平面視の断面図であり、（ｂ）は本発明の第一の実施形態の竪樋と嵌め込み部材と結合部の平面視の断面図であり、（ｃ）は本発明の第一の実施形態の竪樋と結合部とを接合した平面視の断面図である。
【図２】本発明の第一の実施形態の嵌め込み部材の正面図である。
【図３】本発明の第一の実施形態の固定部の変形例を示した平面視の断面図である。
【図４】本発明の第二の実施形態の平面視の断面図である。
【図５】本発明の第三の実施形態の平面視の断面図である。
【発明を実施するための形態】
【００１３】
支持具付き竪樋は、竪樋本体３と、竪樋本体３の建物の外壁４を向く背面から、その後方となる外壁４の方に向けて突出する突出部１と、突出部１に抜け止めされた状態で遊嵌される支持具２と、を備える。突出部１には、その後端部から外壁４に平行となる第一の方向の両側に向けてそれぞれ突出する抜け止め片１２が設けられる。支持具２は、突出部１が挿通可能で且つ抜け止め片１２が設けられた部分が挿通不能となるように前後方向に貫通する挿通孔２２ａを有する前片２２を備える。支持具２は、前片２２の外壁４に平行となる第二の方向に対向する両端部から後方にそれぞれ連設される連設片２２ｃを備える。支持具２は、連設片２２ｃの後端部から第二の方向において前片２２から離れる方向にそれぞれ連設されて外壁４に固定される固定片２１を備える。連設片２２ｃの前後方向の長さが抜け止め片１２の前後方向の長さよりも長く形成される。
【００１４】
支持具２は、突出部１が挿通可能で且つ抜け止め片１２が設けられた部分が挿通不能となるように前後方向に貫通する挿通孔２２ａを有する前片２２を備える。支持具２は、前片２２の外壁４に沿って左右方向の両端部から後方にそれぞれ連設される連設片２２ｃを備える。支持具２は、連設片２２ｃの後端部から左右方向において前片２２から離れる方向にそれぞれ連設されて外壁４に固定される固定片２１を備える。左側の固定片２１の左側端部と右側の固定片２１の右側端部との間の長さが、竪樋本体３の直径よりも短く形成されることが好ましい。
【００１５】
上記した支持具付き竪樋が用いられる竪樋支持構造は、固定片２１が外壁４に固定される。抜け止め片１２又は突出部１と外壁４との間に、抜け止め片１２を前片２２に当接させる付勢部材５が設けられることが好ましい。
【００１６】
上記した支持具付き竪樋が用いられる竪樋支持構造は、固定片２１が外壁４に固定される。前片２２が後方に折り曲げられて、前片２２の先端が抜け止め片１２に当接していることが好ましい。
【００１７】
以下、本発明の第一の実施形態について図１乃至図３に基づいて説明する。
【００１８】
支持具付き竪樋は、竪樋本体３と、竪樋本体３の建物の外壁４を向く背面から、その後方となる外壁４の方に向けて突出する突出部１と、突出部１に抜け止めされた状態で遊嵌される支持具２と、を備える。突出部１と支持具２は、呼び樋と連通するエルボと排水筒との間に配設される竪樋本体３が、風等の外力により、竪樋本体３がエルボと排水筒との間から外れないように竪樋本体３を固定する。
【００１９】
突出部１には、その後端部から外壁４に平行となる本実施形態では第一の方向として左右方向の両側に向けて、それぞれ突出する抜け止め片１２が設けられる。突出部１は、本実施形態では、図１に示すように、竪樋本体３の外面に沿って当接し接合される接合面１１を備える。突出部１は、本実施形態では、複数の突出部１が竪樋本体３の上下方向に、隣り合う突出部１の間に間隙を有して溶着により取付けられる。突出部１を竪樋本体３に溶着するには、超音波溶着、熱風溶着、振動溶着、高周波溶着、等が適宜用いられる。
【００２０】
接合面１１は、本実施形態では、図１に示すように、平面視略Ｕ字状となっているが、その形状は特に限定されない。接合面１１は、竪樋本体３の外面に沿って当接できるように設けられる。接合面１１は、本実施形態では、図１に示すように、円形の竪樋本体３を受容できるように、平面視で竪樋本体３から外壁４に向かって滑らかに凸状となる。なお、竪樋本体３が矩形の場合、接合面１１は、平面視で左右方向に直線状となる。
【００２１】
抜け止め片１２は、突出部１が支持具２に遊嵌される際、支持具２から突出部１が抜け出ないようにする。
【００２２】
支持具２は、図２に示すように、本実施形態では、正面視矩形状となっているが、その形状は限定されない。
【００２３】
支持具２は、突出部１が挿通可能で且つ抜け止め片１２が設けられた部分が挿通不能となるように前後方向に貫通する挿通孔２２ａを有する前片２２を備える。支持具２は、前片２２の外壁４に平行となる本実施形態では第二の方向として左右方向に対向する両端部から後方に、それぞれ連設される連設片２２ｃを備える。支持具２は、連設片２２ｃの後端部から左右方向において前片２２から離れる方向にそれぞれ連設されて外壁４に固定される固定片２１を備える。
【００２４】
前片２２は、本実施形態では、図２に示すように、正面視矩形状となっている。なお、前片２２の形状は特に限定されない。
【００２５】
挿通孔２２ａは、本実施形態では、図２に示すように、前片２２の中心近傍に正面視矩形状に設けられる。なお、挿通孔２２ａの形状は突出部１の形状に合わせて設けられればよい。また、挿通孔２２ａが設けられる場所は特に限定されない。
【００２６】
前片２２の挿通孔２２ａの左右方向の縁部は、図２に示すように、抜け止め片１２の抜け止め片１２が当接し、突出部１が挿通孔２２ａから抜けることを防止する係止片２２ｂとなる。係止片２２ｂは、図１に示すように、連設片２２ｃの竪樋側端部から左右方向の連設片２２ｃが対向する方向に突出される。
【００２７】
連設片２２ｃは、本実施形態では、図１に示すように、前片２２と固定片２１を連設させる。
【００２８】
固定片２１は、図２に示すように、支持具２の左側端部と、右側端部に設けられる。固定片２１には、支持具２を建物の外壁４に固定するための固定具２１ｂが挿通される固定孔２１ａが設けられる。
【００２９】
本実施形態では、連設片２２ｃの前後方向の長さが抜け止め片１２の前後方向の長さよりも長く形成される。突出部１が挿通孔２２ａに遊嵌され、係止片２２ｂに抜け止め片１２が重ね合わせられる。すると、抜け止め片１２と建物の外壁４との間に隙間６が生じる。
【００３０】
支持具付き竪樋の製造手順を示す。
【００３１】
作業者は、支持具２の挿通孔２２ａと突出部１の接合面１１とを、図１（ａ）に示すように対向させる。作業者は、支持具２の挿通孔２２ａに突出部１を、図１（ｂ）に示すように遊嵌させる。そして、図１（ｃ）に示すように、突出部１の接合面１１と竪樋本体３とを当接させ、接合面１１を竪樋本体３に溶着させる。以上の手順で支持具付き竪樋が製造される。
【００３２】
支持具付き竪樋の施工手順を示す。
【００３３】
図１（ｃ）に示すように支持具２の固定片２１に設けられる固定孔２１ａに固定具２１ｂを挿通させ、建物の外壁４に支持具２を留めつける。これにより、竪樋本体３は建物の外壁４に固定される。
【００３４】
上記の構成の支持具付き竪樋では、抜け止め片１２と建物の外壁４との間に隙間６が設けられる。そして、挿通孔２２ａに突出部１は遊嵌されるので、突出部１は前後方向に移動可能となる。ここで、建物の外壁４が不陸であることにより、支持具２が前後方向にずれたとする。しかし、隙間６により突出部１が前後方向に移動可能であるので、突出部１が支持具２の前後方向のずれを吸収し、竪樋本体３を上下方向に一直線にすることができる。
【００３５】
なお、前片２２は上記した構成ではなく、図３に示すように、固定片２１の係止片２２ｂ側とは逆の端部から固定片２１の係止片２２ｂ側の端部に近付く程外壁４から竪樋本体３に向かう方向に傾斜させる。そして、固定孔２１ａが設けられる箇所には建物の外壁４から竪樋本体３方向に開口する凹部を設けてもよい。これにより、支持具２の外観が滑らかになり高意匠な支持具２とすることができる。
【００３６】
また、図２に示す左側の固定片２１の左側端部と右側の固定片２１の右側端部との間の長さが、竪樋本体３の直径よりも短く形成されてもよい。
【００３７】
これにより、建物の外壁４から離れた位置にいる人が、竪樋本体３を竪樋本体３から建物の外壁４に向かう方向に視た際、竪樋本体３に支持具２が隠れるため、外観を良くすることができる。
【００３８】
次に、第二の実施形態について図４に基づいて説明する。第二の実施形態は、第一の実施形態の変形例であり、第一の実施形態と同じ部分については同符号を付して説明を省略する。
【００３９】
本実施形態では、固定片２１が外壁４に固定され、抜け止め片１２又は突出部１と外壁４との間に、抜け止め片１２を前片２２に当接させる付勢部材５が設けられる。付勢部材５は、本実施形態では、突出部１の建物の外壁４側の面と、前記面と対向する建物の外壁４の面と、に取付けられる。付勢部材５により、突出部１が建物の外壁４から竪樋本体３に向かう方向に付勢される。
【００４０】
これにより、突出部１は隙間６により前後方向に移動可能であるので、建物の外壁４の不陸による支持具２の前後方向のずれを吸収し、竪樋本体３を上下方向に一直線にすることができる。更に、外壁４の不陸の中でも竪樋本体３から外壁４に向かって凹む不陸により発生する突出部１のガタツキが、付勢部材５により抜け止め片１２が係止片２２ｂを押圧されるので発生しない。
【００４１】
次に、第三の実施形態について図５に基づいて説明する。第三の実施形態は、第一の実施形態及び第二の実施形態の変形例であり、第一の実施形態及び第二の実施形態と同じ部分については同符号を付して説明を省略する。
【００４２】
本実施形態では、固定片２１が外壁４に固定され、前片２２が後方に折り曲げられて、前片２２の先端が抜け止め片１２に当接する。前片２２は、本実施形態では、図５に示すように、前片２２の連設片２２ｃ側端部から前片２２の挿通孔２２ａ側端部に近付く程竪樋本体３から建物の外壁４へ向かう方向に傾斜する。前片２２は、この傾斜構造により板バネとなり、抜け止め片１２を竪樋本体３から建物の外壁４に向かう方向に付勢する。
【００４３】
これにより、突出部１は隙間６により前後方向に移動可能であるので、建物の外壁４の不陸による支持具２の前後方向のずれを吸収し、竪樋本体３を上下方向に一直線にすることができる。更に、隙間６により生じる突出部１のガタツキが、前片２２が抜け止め片１２を押圧することにより発生しない。
【符号の説明】
【００４４】
１    結合部
２    嵌め込み部材
３    竪樋
４    建物
５    弾性部材
６    隙間
【図１】
2015001073.tif 000003
【図２】
2015001073.tif 000004
【図３】
2015001073.tif 000005
【図４】
2015001073.tif 000006
【図５】
2015001073.tif 000007